(57)【要約】  シェービングデバイス１，２１は、流体を保持するための容器６を備えたハンドル２と、少なくとも１つのシェーバー要素５を備えた処理デバイス４，２４であって、前記処理デバイス４，２４が前記ハンドル２に対して枢動可能である、処理デバイス４，２４と、前記容器６から、前記処理デバイス４，２４の少なくとも近くの出口開口部８，２８まで延在する流体チャネル７とを有する。前記流体チャネル７の少なくとも一部は、休止位置から作動位置まで処理デバイス４，２４に対してハンドル２を枢動させることにより、前記流体チャネル７の通路が閉鎖される閉鎖位置から、前記流体チャネル７の通路が開けられる開口位置に弾性的に変形可能であり、その逆の場合も同様である。
2013513451.tif 000002
【特許請求の範囲】
【請求項１】
流体を保持するための容器を備えたハンドルと、
少なくとも１つのシェーバー要素を備えた処理デバイスであって、前記処理デバイスが前記ハンドルに対して枢動可能である、処理デバイスと、
前記容器から、前記処理デバイスの少なくとも近くの出口開口部まで延在する流体チャネルとを有する、シェービングデバイスであって、
休止位置から作動位置まで処理デバイスに対してハンドルを枢動させることにより、前記流体チャネルの少なくとも一部が、前記流体チャネルの通路が閉鎖される閉鎖位置から、前記流体チャネルの通路が開けられる開口位置に弾性的に変形可能であり、その逆の場合も同様であることを特徴とする、シェービングデバイス。
【請求項２】
前記ハンドルが、スプリング力に抗して前記休止位置から前記作動位置まで前記処理デバイスに対して枢動可能であることを特徴とする、請求項１に記載のシェービングデバイス。
【請求項３】
前記ハンドルが、前記休止位置から、前記流体チャネルの通路が部分的に開けられる中間位置まで処理デバイスに対して枢動可能であることを特徴とする、請求項１又は請求項２に記載のシェービングデバイス。
【請求項４】
前記処理デバイス及びハンドルが、弾性ヒンジにより互いに接続され、前記流体チャネルの弾性的に変形可能な部分が前記弾性ヒンジ内に配置されることを特徴とする、請求項１〜３のうちいずれか一項に記載のシェービングデバイス。
【請求項５】
前記流体チャネルの前記出口開口部が前記弾性ヒンジ内に配置されることを特徴とする、請求項４に記載のシェービングデバイス。
【請求項６】
前記流体チャネルの前記出口開口部が前記処理デバイス内に配置されることを特徴とする、請求項１〜５のうちいずれか一項に記載のシェービングデバイス。
【請求項７】
前記容器が可塑性であり、前記容器が前記ハンドル内に配置されたスプリングにより加圧されることを特徴とする、請求項１〜６のうちいずれか一項に記載のシェービングデバイス。
【請求項８】
前記ハンドル及び処理デバイスが前記休止位置においてロック可能であることを特徴とする、請求項１〜７のうちいずれか一項に記載のシェービングデバイス。
【発明の詳細な説明】
【技術分野】
【０００１】
本発明は、流体を保持するための容器を備えたハンドルと、少なくとも１つのシェーバー要素を備えた処理デバイスであって、前記処理デバイスが前記ハンドルに対して枢動可能である、処理デバイスと、前記容器から、前記処理デバイスの少なくとも近くの出口開口部まで延在する流体チャネルとを有する、シェービングデバイスに関する。
【背景技術】
【０００２】
国際公開第２００８／１５２６０１号から知られた、斯様なシェービングデバイスにおいて、処理デバイスは、シェーバー要素を備えたかみそりカートリッジを有する。処理デバイスと容器との間には、ポンプを備えたアダプタネックが配置される。ポンプは、石鹸、シェービングクリーム又はシェービングジェル等のような流体を容器から流体チャネルを介してかみそりカートリッジ内の出口開口部にポンピングするために、アダプタネックの枢軸運動により動作する。
【０００３】
シェービングデバイスによりシェービングしている間に塗布される流体の使用は、シェービング性能を向上させる。しかしながら、既知のシェービングデバイスの欠点は、ポンプが容器から出口開口部への流体の移送を制御する必要があることである。
【発明の概要】
【発明が解決しようとする課題】
【０００４】
本発明の目的は、流体チャネルを介した流体のフローが容易に制御され得るシェービングデバイスを提供することにある。
【課題を解決するための手段】
【０００５】
この目的は、休止位置から作動位置まで処理デバイスに対してハンドルを枢動させることにより、流体チャネルの少なくとも一部が、流体チャネルの通路が閉鎖される閉鎖位置から、流体チャネルの通路が開けられる開口位置に弾性的に変形可能であり、その逆の場合も同様である、本発明のシェービングデバイスにより達成される。
【０００６】
流体チャネルの前記部分を変形させることにより、例えば、前記部分における流体チャネルの両側の壁は、流体チャネルの弾性的に変形可能な部分における通路のサイズが変えられることに起因して、互いに向かうように又は互いに離れるように移動する。流体チャネルを流れ得る流体の量は、通路のサイズに依存する。通路が閉鎖された場合には、流体は出口開口部を出ないだろう。ユーザがシェービングを開始するために皮膚上に処理デバイスを置いた場合には、ユーザは、休止位置から作動位置まで処理デバイスに対してハンドルを枢動させることができ、作動位置において、弾性的に変形可能な部分における通路が開けられ、流体が容器から出口開口部に流れるだろう。更に、容器から出口開口部への流体チャネルにおける通路を閉鎖及び開口するように少なくとも部分的に弾性的に変形可能である流体チャネルの使用は、流体チャネルにおける流体の詰まりを削減する。
【０００７】
本発明のシェービングデバイスの一実施形態は、ハンドルが、スプリング力に抗して休止位置から作動位置まで処理デバイスに対して枢動可能であることを特徴としている。
【０００８】
スプリング力により、シェービングデバイスは、外部の力がシェービングデバイスに付与されていない場合に、休止位置に自動的に戻るだろう。休止位置において、流体は出口開口部を出ないだろう。
【０００９】
スプリング力を克服するのに十分大きい力をシェービングデバイス上に付与することにより、ハンドルが処理デバイスに対して枢動され、流体チャネルの通路が閉鎖位置から開口位置に徐々に変化するだろう。
【００１０】
本発明のシェービングデバイスの他の実施形態は、ハンドルが、休止位置から、流体チャネルの通路が部分的に開けられる中間位置まで処理デバイスに対して枢動可能であることを特徴としている。
【００１１】
中間位置において、通路及び出口開口部を通る流体のフローは、完全な開口位置よりも少なくなるだろう。この態様において、ユーザは、要求どおりに流体のフローを補正することができる。
【００１２】
本発明のシェービングデバイスの更に他の実施形態は、処理デバイス及びハンドルが弾性ヒンジにより互いに接続され、流体チャネルの弾性的に変形可能な部分が弾性ヒンジ内に配置されることを特徴としている。
【００１３】
外部の力が弾性ヒンジに付与されていない場合には、シェービングシステムは、流体チャネルが閉鎖される休止位置にある。斯様な弾性ヒンジは、動作中、流体チャネルを開け、出口開口部から放出される流体の量を制御するために人がスプリング力を克服することができるように、所望のスプリング力を容易に与えることができる。
【００１４】
本発明のシェービングデバイスの更なる実施形態は、流体チャネルの出口開口部が弾性ヒンジ内に配置されることを特徴としている。
【００１５】
流体は、弾性ヒンジからシェービングデバイスを出るだろう。これは、容器と出口開口部との間の比較的短い距離を得ることを可能にする。処理デバイスが交換のために弾性ヒンジから切断され得る場合において、流体はなくならないだろう。体に渡る処理デバイスの移動方向に依存して、流体は、処理デバイスが体を通る前又は通った後に体に塗布されるだろう。
【００１６】
本発明のシェービングデバイスの更に他の実施形態は、流体チャネルの出口開口部が処理デバイス内に配置されることを特徴としている。
【００１７】
出口開口部が処理デバイスに配置されるので、出口開口部と処理デバイス上のシェーバー要素との間の距離は比較的小さくなる。それ故、流体は、シェービングの直前又は直後に体に塗布されるだろう。更に、処理デバイスに出口開口部を設けることにより、出口開口部のサイズは、弾性ヒンジのサイズとは無関係に選択され得る。
【００１８】
本発明のシェービングデバイスの他の実施形態は、容器が可塑性であり、容器がハンドル内に配置されたスプリングにより加圧されることを特徴としている。
【００１９】
容器がスプリングにより加圧されるので、流体は、流体チャネルが開けられるとすぐに、可塑性の容器から流体チャネルに放出されるだろう。ポンプは必要とされない。
【００２０】
本発明のシェービングデバイスの他の実施形態は、ハンドル及び処理デバイスが休止位置においてロック可能であることを特徴としている。
【００２１】
ハンドル及び処理デバイスを休止位置においてロックすることにより、流体チャネルは、流体が出口開口部を出ることができない閉鎖位置のままになるだろう。この態様において、ユーザは、例えば既に十分な流体が皮膚に塗布されていると感じているので、流体を塗布することなく、依然として処理デバイスを使用することができる。
【００２２】
本発明は、図面を参照してより詳細に説明されるだろう。
【図面の簡単な説明】
【００２３】
【図１】本発明のシェービングデバイスの第１の実施形態の概略的な断面図である。
【図２Ａ】閉鎖位置における流体チャネルを示す、図１に示されたシェービングデバイスの一部の断面図である。
【図２Ｂ】中間位置における流体チャネルを示す、図１に示されたシェービングデバイスの一部の断面図である。
【図２Ｃ】開口位置における流体チャネルを示す、図１に示されたシェービングデバイスの一部の断面図である。
【図３】本発明のシェービングデバイスの第２の実施形態の概略的な断面図である。
【図４Ａ】閉鎖位置における流体チャネルを示す、図３に示されたシェービングデバイスの一部の断面図である。
【図４Ｂ】中間位置における流体チャネルを示す、図３に示されたシェービングデバイスの一部の断面図である。
【図４Ｃ】開口位置における流体チャネルを示す、図３に示されたシェービングデバイスの一部の断面図である。
【発明を実施するための形態】
【００２４】
同様の部分は、図面において同一の参照番号により示される。
【００２５】
図１及び２Ａ〜２Ｃは、シェービングデバイスの第１の実施形態の断面図を示しており、シェービングデバイス１は、ハンドル２と、弾性ヒンジ３と、処理デバイスを形成するかみそりカートリッジ４とを有する。かみそりカートリッジ４は、弾性ヒンジ３によりハンドル２に対して枢動可能である。かみそりカートリッジ４は、ブレード状のシェーバー要素５を備えている。
【００２６】
ハンドル２は、人の皮膚とシェーバー要素５との間の摩擦を削減するための流体のような、流体を保持するための容器６を備えている。
【００２７】
流体チャネル７は、容器６から、弾性ヒンジ３を介して、かみそりカートリッジ４内の出口開口部８まで延在している。出口開口部８は、弾性ヒンジ３から離れてシェーバー要素５の側に配置されている。弾性ヒンジ３内の流体チャネル７の部分は、弾性ヒンジ３の材料の弾性に起因して弾性的に変形可能である。図１及び２Ａに示されるような弾性ヒンジ３の位置において、弾性ヒンジ３における流体チャネル７の対向する壁９，１０は、互いに接触して配置されており、流体チャネル７の通路は閉鎖されている。この休止位置においては、外部の力はシェービングデバイス１に付与されない。
【００２８】
容器６は、変形可能な可塑性材料で作られる。容器６は、流体チャネル７から離れて容器６の側に配置された前負荷スプリング１１により加圧されている。容器６内に配置された流体は、スプリング１１により容器６上に及ぼされた力Ｆに起因して流体チャネル７に加圧される。しかしながら、流体チャネル７の壁９，１０が互いに接触して配置され、これにより弾性ヒンジ３を通る流体の通路をブロックするので、流体が出口開口部８の外へ流れることが阻止される。
【００２９】
ハンドル２は、矢印Ｐ１により示された方向に、枢軸１２のまわりを弾性ヒンジ３のスプリング力に抗してかみそりカートリッジ４に対して枢動され得る。枢軸運動に起因して、流体チャネル７が曲げられ、これにより、対向する壁９，１０が離れるように移動し、通路が開けられる。通路のサイズは、流体チャネル７の曲げの量に依存する、対向する壁９，１０間の距離により決定される。
【００３０】
図２Ａに示された位置において、枢軸１２の両側に配置された流体チャネル７の部分は、互いに対してα０の角度で延在する。この位置において、流体チャネル７を通る通路は閉鎖され、シェービングデバイス１はその休止位置にある。
【００３１】
図２Ｂに示される位置において、ハンドル２は、流体チャネル７が曲げられて開けられることに起因して、角度β１を経て枢軸１２のまわりを枢動される。枢軸運動は、人の皮膚上にかみそりカートリッジ４を置いて、矢印Ｐ１により示された方向にハンドル２に対する力を付与することにより得られる。枢軸１２の両側に配置された流体チャネル７の部分は、互いに対してα１の角度で延在する（α１＜α０）。シェービングデバイス１の中間作動位置において、流体チャネル７を通る通路は、部分的に開けられ、流体チャネル７内の流体は、矢印Ｐ２により示された方向に流れるだろう。
【００３２】
図２Ｃに示された位置において、ハンドル２は、β２を経て枢軸１２のまわりを更に枢動される（β２＜β１）。枢軸１２の両側に配置された流体チャネル７の部分は、互いに対してα２の角度で延在する（α２＜α１＜α０）。シェービングデバイスのこの作動位置において、流体チャネル７は、その開口位置にあり、流体チャネル７を通る通路が完全に開けられる。
【００３３】
図３及び４Ａ〜４Ｃは、シェービングデバイス２１の第２の実施形態の断面図を示しており、シェービングデバイス２１は、ハンドル２と、弾性ヒンジ２３と、処理デバイスを形成するかみそりカートリッジ２４とを有する。かみそりカートリッジ２４は、弾性ヒンジ２３によりハンドル２に対して枢動可能である。ハンドル２は、流体を保持するための容器６を備えている。流体チャネル７は、容器６から、弾性ヒンジ２３内の出口開口部２８まで延在している。図３及び４Ａに示された弾性ヒンジ２３の位置において、弾性ヒンジ２３における流体チャネル７の対向する壁２９，３０は、互いに接触して配置され、流体チャネル７を通る通路は閉鎖される。この位置において、外部の力はシェービングデバイス２１に付与されない。
【００３４】
流体チャネル７を通る通路は、矢印Ｐ１により示された方向に弾性ヒンジ２３における枢軸３２のまわりを弾性ヒンジ３のスプリング力に抗してかみそりカートリッジ２４に対してハンドル２を枢動させることにより開けられる。枢軸運動は、人の皮膚上にかみそりカートリッジ２４を置いて、矢印Ｐ１により示された方向にハンドル２に対する力を付与することにより得られ得る。枢軸運動に起因して、弾性ヒンジ２３内の流体チャネル７が弾性的に変形し、これにより、対向する壁２９，３０が離れるように移動し、通路が開けられる。通路のサイズは、対向する壁２９，３０間の距離により決定される。
【００３５】
図４Ａに示された位置において、かみそりカートリッジ２４、及び、枢軸２３と容器６との間の流体チャネル７の部分は、互いに対してα０の角度で延在する。この位置において、枢軸３２と出口開口部２８との間の流体チャネル７を通る通路は閉鎖される。
【００３６】
図４Ｂに示される位置において、ハンドル２は、弾性ヒンジ３内の流体チャネル７の部分が弾性的に変形することに起因して、角度β１を経て枢軸３２のまわりを枢動し、これにより、壁２９，３０が離れるように移動する。かみそりカートリッジ２４、及び、枢軸２３と容器６との間の流体チャネル７の部分は、互いに対してα１の角度で延在する（α１＜α０）。この中間位置において、流体チャネル７を通る通路が部分的に開けられ、流体の小さな液滴４０が出口開口部２８から流出するだろう。
【００３７】
図４Ｃに示された位置において、ハンドル２は、β２を経て枢軸３２のまわりを更に枢動する（β２＜β１）。かみそりカートリッジ２４、及び、枢軸２３と容器６との間の流体チャネル７の部分は、互いに対してα２の角度で延在する（α２＜α１＜α０）。この開口位置において、流体チャネル７を通る通路が完全に開けられ、流体のより大きな液滴４１が出口開口部２８から流出するだろう。
【００３８】
本発明は、図面及び前述の説明において詳細に示され述べられた一方で、斯様な図示及び説明は、例示又は単なる例であり、限定的ではないと見なされるべきである。即ち、本発明は、開示された実施形態に限定されるものではない。
【００３９】
例えば、かみそりカートリッジは、シェーバー要素５の切れ味が悪くなったときに交換されるのを可能にするよう、弾性ヒンジ３，２３に脱着可能に接続されることが可能である。
【００４０】
開示された実施形態に対する他のバリエーションは、図面、開示及び特許請求の範囲の研究から、当業者により理解され、もたらされ得る。請求項中、"有する"という用語は、他の要素又はステップを除外するものではなく、単数表記は、複数を除外するものではない。請求項中の如何なる参照符号も、その範囲を限定するものとして考慮されるべきではない。
【図１】
2013513451.tif 000003
【図２Ａ】
2013513451.tif 000004
【図２Ｂ】
2013513451.tif 000005
【図２Ｃ】
2013513451.tif 000006
【図３】
2013513451.tif 000007
【図４Ａ】
2013513451.tif 000008
【図４Ｂ】
2013513451.tif 000009
【図４Ｃ】
2013513451.tif 000010
【国際調査報告】
2013513451.tif 000011
2013513451.tif 000012
2013513451.tif 000013